(57)【要約】【課題】汚水が指定容積に達したときに速やかに警報できる汚水収集検出機、並びに、汚水収集検出機を備える掃除装置を提供する。【解決手段】汚水収集検出機１０は、水平面に垂直なタンク中心軸を有する回収タンク１１と、回収タンク１１の底部に設けられた汚水入口パイプ１２と、回収タンク１１に設けられ、回収タンク１１のタンク中心軸に位置している検出プローブ１３１を有する水位検出器１３と、を備える。検出プローブ１３１のプローブ中心軸が、回収タンク１１のタンク中心軸に対して垂直である。【選択図】図１
2019136484.tif 000002
【特許請求の範囲】
【請求項１】
水平面に垂直なタンク中心軸を有する回収タンクと、
前記回収タンクの底部に設けられた汚水入口パイプと、
前記回収タンクに設けられ、前記回収タンクのタンク中心軸に位置している検出プローブを有する水位検出器と、
を備える汚水収集検出機。
【請求項２】
前記検出プローブのプローブ中心軸が、前記回収タンクの前記タンク中心軸に対して垂直であり、
前記検出プローブの軸方向における前記検出プローブの長さが１０ｍｍ以下である、請求項１に記載の汚水収集検出機。
【請求項３】
前記検出プローブが、容量式水位スイッチである、請求項２に記載の汚水収集検出機。
【請求項４】
前記回収タンクの前記タンク中心軸に沿って配置された複数の前記水位検出器を備える、請求項２に記載の汚水収集検出機。
【請求項５】
前記検出プローブのプローブ中心軸が、前記回収タンクの前記タンク中心軸と一致する、請求項１に記載の汚水収集検出機。
【請求項６】
前記検出プローブが、容量式水位スイッチである、請求項５に記載の汚水収集検出機。
【請求項７】
前記回収タンクは上部が開口しており、
前記回収タンクの前記上部を覆うカバーを更に備える、請求項１に記載の汚水収集検出機。
【請求項８】
前記カバーが、前記回収タンクに向かって内部に延在して固定ロッドを形成し、
前記水位検出器が、前記固定ロッドに取り付けられている、請求項７に記載の汚水収集検出機。
【請求項９】
前記水位検出器が、前記カバーに取り付けられている、請求項７に記載の汚水収集検出機。
【請求項１０】
前記水位検出器が、前記回収タンクの側壁に接続する固定部材に固定されている、請求項１に記載の汚水収集検出機。
【請求項１１】
請求項１に記載の汚水収集検出機を備える、掃除装置。
【請求項１２】
表面に吸水層を有する可撓性チューブと、
前記可撓性チューブの一端に接続された第一駆動部材と、
前記可撓性チューブの片側に設けられ、開口した上部を有するごみ収集箱と、
前記ごみ収集箱の前記開口した上部に位置し、前記可撓性チューブに隣接しているローラブラシと、
前記ローラブラシの一端に接続して前記可撓性チューブの水タンクに対応する第二駆動部材と、
前記汚水収集検出機と前記水タンクの内腔に連通する清浄水供給機構と、
を備え、
前記汚水入口パイプが前記水タンクの内腔と連通し、前記水タンクが前記可撓性チューブに対応して配設され、前記水タンクが前記可撓性チューブの上方に位置し、押圧突出部が前記水タンクの前記底部に位置した前記水タンクの片側に設けられ、前記水タンクから離れた前記押圧突出部の一端が前記可撓性チューブに押圧され、前記水タンクの前記底部に複数の貫通孔が設けられ、前記貫通孔が前記水タンクの内腔と連通している、請求項１１に記載の掃除装置。
【請求項１３】
前記可撓性チューブの一端に押圧された前記押圧突出部の端面が円弧状である、請求項１２に記載の掃除装置。
【請求項１４】
前記ごみ収集箱が板金を曲げることによって形成される、請求項１２に記載の掃除装置。
【請求項１５】
前記ごみ収集箱の内部が、幅広の上部分と、幅狭の下部分と、を有する、請求項１２に記載の掃除装置。
【請求項１６】
前記清浄水供給機構が、
清浄水タンク及び水ポンプと、
前記清浄水タンク及び前記水ポンプを接続する第一水パイプと、
前記水ポンプ及び前記水タンクを接続する第二水パイプと、
を備える、請求項１２に記載の掃除装置。
【請求項１７】
前記清浄水供給機構が、清浄水位センサを更に備え、
前記清浄水位センサが、前記第一水パイプの水入口に配設されている、請求項１６に記載の掃除装置。
【請求項１８】
前記清浄水供給機構が、前記水タンクに接続するパイプである、請求項１２に記載の掃除装置。
【請求項１９】
重量支持ホイールを更に備え、
前記可撓性チューブに隣接する前記ごみ収集箱の側部に収容溝が形成され、
前記収容溝の開口が下方に向き、前記重量支持ホイールが前記収容溝に位置している、請求項１２に記載の掃除装置。
【発明の詳細な説明】
【技術分野】
【０００１】
本発明は、掃除機械の技術分野に関し、具体的には、汚水収集検出機、並びに掃除装置に関する。
本出願は、２０１８年２月１３日に出願されたＰＣＴ／ＣＮ２０１８／０７６６８６号の一部継続出願であり、この優先権を主張し、これは参照により本明細書に組み込まれる。
【背景技術】
【０００２】
一般的に、湿式と、乾式と、湿式及び乾式と、の３つのタイプの真空掃除機がある。
乾式真空掃除機は、フィルタによって掃除し、フィルタは、ほこりなどの乾燥物質のみをろ過し、湿潤物質を拾い上げることができない。
湿式真空掃除機は、洗剤及び水などの湿潤物質を拾い上げることができる。湿式真空掃除機では、まず湿潤タイプの物質に噴霧し、次いで、湿潤タイプの物質、及び湿潤タイプの物質に含まれる汚物を吸入して掃除動作を行う。湿式真空掃除機には、空気とともに湿式真空掃除機に吸入される水から空気を分離するための装置、例えば分離タンクがある。
湿式及び乾式真空掃除機は、乾式真空掃除機と湿式真空掃除機の機能を組み合わせている。
【発明の概要】
【発明が解決しようとする課題】
【０００３】
湿式及び乾式真空掃除機は、本体を含み、回収タンクは本体内に配置される。回収タンクは、真空掃除機が床を掃除した後に生成される汚水を収容するために使用される。湿式及び乾式真空掃除機が使用されていないとき、本体は、一般的に垂直に維持される。湿式又は乾式真空掃除機が掃除動作に使用されているとき、本体は、傾いた状態に維持される。この間、本体内部の回収タンクもまた、本体とともに傾く。水位検出器の感知プローブが、回収タンクの側壁の近くに置かれ、汚水が回収タンクに伴って傾くため、水位検出器の感知プローブは、回収タンクが汚水で満杯になる前に汚水に接触し、誤った満杯水位警報が発生することになる。したがって、水位警報が十分に正確ではなく、偽陽性になるという問題がある。
【課題を解決するための手段】
【０００４】
本発明に係る汚水収集検出機の実施態様は、水平面に垂直なタンク中心軸を有する回収タンクと、前記回収タンクの底部に設けられた汚水入口パイプと、前記回収タンクに設けられ、前記回収タンクのタンク中心軸に位置している検出プローブを有する水位検出器と、を備える。
【０００５】
本発明に係る汚水収集検出機の他の実施態様は、前記検出プローブのプローブ中心軸が、前記回収タンクの前記タンク中心軸に対して垂直であり、前記検出プローブの軸方向における前記検出プローブの長さが１０ｍｍ以下である。
【０００６】
本発明に係る汚水収集検出機の他の実施態様は、前記検出プローブが、容量式水位スイッチである。
【０００７】
本発明に係る汚水収集検出機の他の実施態様は、前記回収タンクの前記タンク中心軸に沿って配置された複数の前記水位検出器を備える。
【０００８】
本発明に係る汚水収集検出機の他の実施態様は、前記検出プローブのプローブ中心軸が、前記回収タンクの前記タンク中心軸と一致する。
【０００９】
本発明に係る汚水収集検出機の他の実施態様は、前記検出プローブが、容量式水位スイッチである。
【００１０】
本発明に係る汚水収集検出機の他の実施態様は、前記回収タンクは上部が開口しており、前記回収タンクの前記上部を覆うカバーを更に備える。
【００１１】
本発明に係る汚水収集検出機の他の実施態様は、前記カバーが、前記回収タンクに向かって内部に延在して固定ロッドを形成し、前記水位検出器が、前記固定ロッドに取り付けられている。
【００１２】
本発明に係る汚水収集検出機の他の実施態様は、前記水位検出器が、前記カバーに取り付けられている。
【００１３】
本発明に係る汚水収集検出機の他の実施態様は、前記水位検出器が、前記回収タンクの側壁に接続する固定部材に固定されている。
【００１４】
本発明に係る掃除装置の実施態様は、前記汚水収集検出機を備える。
【００１５】
本発明に係る掃除装置の他の実施態様は、表面に吸水層を有する可撓性チューブと、前記可撓性チューブの一端に接続された第一駆動部材と、前記可撓性チューブの片側に設けられ、開口した上部を有するごみ収集箱と、前記ごみ収集箱の前記開口した上部に位置し、前記可撓性チューブに隣接しているローラブラシと、前記ローラブラシの一端に接続して前記可撓性チューブの水タンクに対応する第二駆動部材と、前記汚水収集検出機と前記水タンクの内腔に連通する清浄水供給機構と、を備え、前記汚水入口パイプが前記水タンクの内腔と連通し、前記水タンクが前記可撓性チューブに対応して配設され、前記水タンクが前記可撓性チューブの上方に位置し、押圧突出部が前記水タンクの前記底部に位置した前記水タンクの片側に設けられ、前記水タンクから離れた前記押圧突出部の一端が前記可撓性チューブに押圧され、前記水タンクの前記底部に複数の貫通孔が設けられ、前記貫通孔が前記水タンクの内腔と連通している。
【００１６】
本発明に係る掃除装置の他の実施態様は、前記可撓性チューブの一端に押圧された前記押圧突出部の端面が円弧状である。
【００１７】
本発明に係る掃除装置の他の実施態様は、前記ごみ収集箱が板金を曲げることによって形成される。
【００１８】
本発明に係る掃除装置の他の実施態様は、前記ごみ収集箱の内部が、幅広の上部分と、幅狭の下部分と、を有する。
【００１９】
本発明に係る掃除装置の他の実施態様は、前記清浄水供給機構が、清浄水タンク及び水ポンプと、前記清浄水タンク及び前記水ポンプを接続する第一水パイプと、前記水ポンプの及び前記水タンクを接続する第二水パイプと、を備える。
【００２０】
本発明に係る掃除装置の他の実施態様は、前記清浄水供給機構が、清浄水位センサを更に備え、前記清浄水位センサが、前記第一水パイプの前記水入口に配設されている。
【００２１】
本発明に係る掃除装置の他の実施態様は、前記清浄水供給機構が、前記水タンクに接続するパイプである。
【００２２】
本発明に係る掃除装置の他の実施態様は、重量支持ホイールを更に備え、前記可撓性チューブに隣接する前記ごみ収集箱の側部に収容溝が形成され、前記収容溝の開口が下方に向き、前記重量支持ホイールが前記収容溝に位置している。
【図面の簡単な説明】
【００２３】
【図１】垂直状態の汚水収集検出機の実施形態の断面図である。
【図２】図１に示す汚水収集検出機の別の角度での断面図である。
【図３】垂直状態の汚水収集検出機の別の実施形態の断面図である。
【図４】図１に示す汚水収集検出機の傾斜状態の断面図である。
【図５】汚水水位検出原理の概略図である。
【図６】垂直状態の汚水収集検出機の別の実施形態の断面図である。
【図７】実施形態による掃除器具の概略構造図である。
【図８】図７で組み立てられた後の水タンク及び可撓性チューブの概略構成図である。
【発明を実施するための形態】
【００２４】
図１を参照すると、実施形態の汚水収集検出機１０は、回収タンク１１と、汚水入口パイプ１２と、回収タンク１１内に設けられた水位検出器１３と、を含む。汚水入口パイプ１２は、汚水を回収タンク１１に投入するために、回収タンク１１の底部に設けられている。
【００２５】
回収タンク１１の上部は、開口している。回収タンク１１は、水平面に垂直なタンク中心軸ＡＡを有する。回収タンク１１の形状は、円筒状、角筒状、菱形状、及び正多角筒状からなる群から選択されてもよい。本実施形態において、回収タンク１１は、円筒形状を有している。回収タンク１１のタンク中心軸は、回収タンク１１の形状が回転体であるかのように定義され、回収タンク１１のタンク中心軸は、回転体の回転の垂直軸の回転の垂直軸である。回収タンク１１の形状が回転型でない場合、タンク中心軸ＡＡは、回収タンク１１の両側に対して等間隔で離間配置された点の集合である。すなわち、タンク中心軸ＡＡ上のいずれの点も、回収タンク１１の両側までの距離が等しい。
【００２６】
水位検出器１３は、回収タンク１１のタンク中心軸ＡＡ上に位置し、かつ回収タンク１１内の汚水の水位を検出するために使用される検出プローブ１３１を有する。本実施形態において、検出プローブ１３１は、円筒状上面及び底面を貫通するプローブ中心軸ＺＺを有する略円筒形状を有する。図２に示すように、プローブ中心軸ＺＺは、タンク中心軸ＡＡに対して垂直である。この場合、汚水の液面を正確に検出するために、プローブ中心軸ＺＺに沿った方向における検出プローブ１３１の長さは、可能な限り小さい必要があり、好ましくは１０ｍｍ以下である。他の実施形態において、図３に示すように、検出プローブ１３１のプローブ中心軸ＺＺはまた、回収タンク１１のタンク中心軸ＡＡと一致していてもよい。この場合、プローブ中心軸ＺＺに沿った検出プローブ１３１の長さは限定されず、実際のニーズに応じて設定することができる。
【００２７】
汚水収集検出機１０の具体的な作動原理は、図４及び図５を参照して以下に詳細に説明する。図４を参照されたい。図４は、傾斜状態にあるときの汚水収集検出機１０の断面図である。図４において、ＢＢ線は、回収タンク１１が垂直であり、ＣＣ線が検出プローブ１３１の傾斜警報水位線であるときの検出プローブ１３１の水平警報レベル線である。図４から分かるように、ＢＢ線とＣＣ線との交点は、水を含む領域Ｘ、及び水がない領域Ｗを形成する。領域Ｘは、ＢＢ線とＣＣ線との交点のために、検出プローブ１３１が位置する位置であり、領域Ｗの上方に位置している。検出プローブ１３１は、領域Ｘが領域Ｗと等しくなるように回収タンク１１のタンク中心軸ＡＡ上に位置している。したがって、警報水位線が水平ＢＢ線であるときの汚水の容積は、警報水位がＣＣ線であるときの汚水の容積に等しいということが分かる。
【００２８】
図５を参照すると、図５は、汚水水位の検出の幾何学的図である。図５において、傾斜した直線ＭＮ及びＵＶは、２つの異なる傾き角警報水位線に相当し、交点ＭＮ及びＵＶは、ある点まで簡略化された検出プローブ１３１とみなすことができる。比較的平行な直線ＥＦ及びＧＨは、回収タンク１１の内壁であり、線ＥＦ及びＧＨは、回収タンク１１のタンク中心軸ＡＡから等距離にある。ＭＮ及びＵＶは、交差して領域Ｙ及び領域Ｚを形成する。
【００２９】
ＭＮ及びＵＶの焦点Ｏが回収タンク１１のタンク中心軸ＡＡ上にあるため、Ｙの領域はＺの領域に等しい。したがって、警報水位線が傾斜したＭＮ線であるとき、汚水の容積は、警報水位線が傾斜したＵＶ線であるときの汚水の容積に等しいということが分かる。要約すると、図４及び図５に関して分かるように、水位検出器１３によって提供される検出プローブ１３１は、回収タンク１１のタンク中心軸ＡＡ上にあり、タンク中心軸ＡＡ上の回収タンク１１の上端からの検出プローブ１３１の距離は、回収タンク１１の線ＢＢの半径以上である。回収タンク１１内の汚水が指定容積に達すると、回収タンク１１が垂直であるか又は傾斜しているかにかかわらず、及びどの程度傾斜しているかにかかわらず、検出プローブ１３１は、警報水位線上にある。したがって、汚水水位容積の真の情報を正確に表現することが可能であり、汚水が指定容積に達したときに速やかに警報することが可能である。したがって、警報はタイムリーになり、これにより廃棄物が注入される回数を低減することができる。
【００３０】
本実施形態において、検出プローブ１３１の数は１つであり、これは、回収タンク１１内の汚水が指定数の容積に達したときの水位の測定にのみ使用される。例えば、検出プローブ１３１は、汚水が回収タンク１１の容積の８０％に達したときの水位線を検出するためのみのものである。汚水の水位線が回収タンク１１の容積の８０％の容積を有しているとき、汚水は、検出プローブ１３１に接触し、外部の警報から警報が発せられる。水位検出器は、容量式水位スイッチであってもよく、検出プローブは、容量式水位スイッチの容量式プローブであってもよい。回収タンク１１内の汚水の水位が容量式プローブが設置されている位置に達すると、外部の警報器が警報を発する。
【００３１】
一実施形態において、回収タンク１１のタンク中心軸ＡＡに沿って離間配置された複数の水位検出器１３がある。各水位検出器１３は、タンク中心軸ＡＡ上に位置し、各水位検出器１３の検出プローブ１３１のプローブ中心軸ＺＺは、タンク中心軸ＡＡに対して垂直である。例えば、図６に示すように、水位検出器１３は、低水位検出器１３ａと、中間水位検出器１３ｂと、高水位検出器１３ｃと、危険水位検出器１３ｄと、を含む。低水位検出器１３ａの低検出プローブ１３１ａ、中間水位検出器１３ｂの中間検出プローブ１３１ｂ、高水位検出器１３ｃの高検出プローブ１３１ｃ、及び危険水位検出器１３ｄの危険水位検出プローブ１３１ｄは、低水位、中間水位、高水位、危険水位のそれぞれにおいて、回収タンク１１内の汚水の分別警告を行う。
【００３２】
汚水収集検出機１０はまた、回収タンク１１が傾いたときに、回収タンク１１から汚水が溢れることを防止するために、回収タンク１１の上部を覆うカバー１４を含む。更に、カバー１４は、回収タンク１１の内部に向かって延在し、固定ロッド１４１を伴って形成される。水位検出器１３は、固定ロッド１４１に取り付けられている。当然のことながら、水位検出器１３の取り付け方法は、上記の方法に限定されるものではなく、水位検出器１３の取り付けを実現することができる他の方法もまた、本明細書で使用され得る。例えば、水位検出器１３は、カバー１４に直接取り付けられ、例えば、回収タンク１１の側壁に接続する他の固定部材によって固定される。
【００３３】
本開示はまた、湿式及び乾式真空掃除機のための掃除装置１００を開示する。図７を参照すると、掃除装置１００は、可撓性チューブ２０と、可撓性チューブ２０の一端に接続された第一駆動部材３０と、可撓性チューブ２０の片側に設けられて開口上部を有するごみ収集箱６０と、ごみ収集箱６０の開口上部に設けられて可撓性チューブ２０に隣接するローラブラシ４０と、ローラブラシ４０の一端に接続して可撓性チューブ２０の水タンク７０に対応する第二駆動部材５０と、水タンク７０の内腔と汚水収集検出機１０とに連通する清浄水供給部８０と、を含み、汚水収集検出機１０の汚水入口パイプ１２が、水タンク７０の内腔と連通する。
【００３４】
可撓性チューブ２０は、第一駆動部材３０の駆動力によって回転して、地面の汚水及び汚れを除去する。可撓性チューブ２０の外面は、地面の汚水を吸着するために使用することができる吸収材料の層で被覆されている（図示せず）。本実施形態において、第一駆動部材３０は、モータである。ローラブラシ４０は、第二駆動部材５０の駆動力によって回転し、可撓性チューブ２０の表面に付着したごみを払い落として可撓性チューブ２０を掃除する。具体的には、ローラブラシ４０は、第二駆動部材５０に接続されたローラ軸４１を含み、剛毛４２がローラ軸４１の表面に設けられている。本実施形態において、第二駆動部材５０は、モータである。
【００３５】
ごみ収集箱６０は、ローラブラシ４０によって可撓性チューブ２０から払い落とされたごみを収集するために使用される。この実施形態において、ごみ収集箱６０は、板金を曲げることによって形成されるか、又は金型プラスチックによって射出成形される。ごみ収集箱６０の内部容量は、幅広の上部分と、幅狭の下部分と、を有するように配置されている。水タンク７０は、可撓性チューブ２０の上方に位置し、可撓性チューブ２０の軸方向に沿って延在している。水タンク７０の底部には、貫通孔７１が設けられている。図８に示すように、貫通孔７１は、水タンク７０の内腔と連通している。水タンク７０の底部に位置した水タンク７０の片側には押圧突出部７２が設けられ、水タンク７０から離れた押圧突出部７２の端部は、可撓性チューブ２０が回転して可撓性チューブ２０から汚水を圧搾するときに、可撓性チューブ２０を押圧するために可撓性チューブ２０に押圧される。貫通孔７１は、水タンク７０内の清浄水を可撓性チューブ２０に噴霧するために、かつ可撓性チューブ２０から排出された汚水を水タンク７０内に押圧するために使用される。
【００３６】
一実施形態において、可撓性チューブ２０に押圧される押圧突出部７２の一端の表面は、円弧状である。押圧突出部７２によって押圧される可撓性チューブ２０の端面が円弧状を有するようにすることによって、押圧突出部７２が可撓性チューブ２０に傷をつけることを防止することができる。
【００３７】
この実施形態において、清浄水供給部８０は、清浄水タンク８１と、水ポンプ８２と、清浄水タンク８１及び水ポンプ８２を接続する第一水パイプ８３と、水ポンプ８２及び水タンク７０を接続する第二水パイプ８４と、を含む。水ポンプ８２は、清浄水タンク８１内の清浄水を駆動して自動的に水タンク７０に入るようにするために使用される。一実施形態において、清浄水供給部８０はまた、清浄水位センサを含む。第一水パイプ８３の水入口には、清浄水タンク８１に水が存在するか否かを検出するための清浄水位センサが配設されている。清浄水タンク８１内に水がないことが検出されると、外部警報が、対応する警報音を鳴らす。一実施形態において、清浄水供給部８０は、水タンク７０に接続された軟水パイプのみであり、水タンク７０の外部の水源を接続することによって清浄水が提供される。
【００３８】
掃除装置１００は、重量支持ホイール９０を更に含む。可撓性チューブ２０に隣接するごみ収集箱６０の側部に、収容溝６１が形成されている。収容溝６１の開口は下方を向き、重量支持ホイール９０は、湿式及び乾式真空掃除機の全体的な重量を支えるように収容溝６１に位置し、その結果、重量支持ホイール９０を介して移動する湿式及び乾式真空掃除機全体を押すユーザの労力を低減する。上述した掃除装置１００の具体的な作動原理は、可撓性チューブ２０を掃除するときに、まず、清浄水タンク８１の清浄水を水ポンプ８２の作用により水タンク７０に入れ、次いで可撓性チューブ２０の吸水層に貫通孔７１を介して噴霧する。吸水層は、清浄水を吸収し、吸収された汚水を希釈する。希釈が完了すると、清浄水供給部８０は、清浄水の供給を停止し、第一駆動部材３０は、可撓性チューブ２０を回転させ、押圧突出部７２は、回転する可撓性チューブ２０を押圧して、その結果、可撓性チューブ２０内で希釈された汚水を押し出して圧搾する。廃水は、貫通孔７１を通って水タンク７０に入る。汚水収集検出機１０は、汚水を水タンク７０に収集し、汚水を回収タンク１１に入れる。汚水収集検出機１０は、水タンク７０内の汚水を２とおりで回収する。第一方法は、水タンク７０を完全に密閉し、可撓性チューブ２０を押圧する方法である。汚水が排出された後、汚水は水タンク７０に汲み上げられた汚水の圧力を利用することによって押し上げられる。第二方法は、空気ポンプを使用する方法である。空気ポンプは、回収タンク１１内に負圧が生成されるように、回収タンク１１から空気を抽出する。水タンク７０内の汚水は、外部の大気圧の力により汚水タンク内へ圧搾される。
【００３９】
本実施形態において、汚水収集検出機１０は、第一方法を採用している。汚水収集検出機１０が回収タンク１１内の汚水を収集した後、上記の動作ステップを繰り返す。以上の動作を繰り返すことにより、回収タンク１１内の汚水は徐々に増加し、水位は徐々に上昇する。回収タンク１１内の汚水の水位が、検出プローブ１３１が位置している位置に達すると、外部の警報は、次の掃除作業を継続することができることを確実にするために、回収タンク１１内の汚水を速やかに空にするようにユーザに警告する。
【００４０】
上記の掃除装置１００は、可撓性チューブ２０の自動掃除を実現することができ、また、回収タンク１１内の汚水が指定容積に達する時点を正確に検出することができ、その結果、ユーザは、可撓性チューブ２０が次の掃除作業を行うことを可能にするために、回収タンク１１内の汚水を時間どおりに空にすることができる。上記の実施形態の技術的特徴は、任意に組み合わせてもよい。説明を簡潔にするために、上記の実施形態の技術的特徴の全ての可能な組み合わせが説明されているわけではない。しかしながら、これらの技術的特徴の組み合わせに矛盾がない限り、全てが本明細書で説明されると考えるべきである。上記の実施形態は本開示内容のいくつかの実施形態を表現しているだけであり、その説明はより具体的で詳細であるが、本開示内容の範囲を限定すると解釈すべきではない。当業者の場合、本開示内容の概念から逸脱することなく、いくつかの変形及び改善を行ってもよく、これらは全て本開示内容の保護範囲内にあることに留意するべきである。したがって、本発明の保護範囲は、添付の請求項に制約されるものとする。
【図１】
2019136484.tif 000003
【図２】
2019136484.tif 000004
【図３】
2019136484.tif 000005
【図４】
2019136484.tif 000006
【図５】
2019136484.tif 000007
【図６】
2019136484.tif 000008
【図７】
2019136484.tif 000009
【図８】
2019136484.tif 000010